(57)【要約】      （修正有）【課題】車所有者への直接宣伝と車移動による間接宣伝と車所有者と広告主間のマーケッティングなど多機能複合宣伝システムを提供し、広告主の広告コストの低減による商品価格の低減と車所有者に支払われる広告料などによる生活の補助システムを提供する。【解決手段】車所有者に広告主の宣伝シートを車の後面、天面に貼り、必要に応じて車使用者は広告主の商品のモニターなどのマーケッティングを行い、それらの対価を広告主から金額、商品などで支払いを受け、広告主の広告経費の削減と車所有者の生活助成とする。【選択図】図１
2014063112.tif 000002
【特許請求の範囲】
【請求項１】
（イ）広告主または広告を仲介する業者により作製された広告主の広告宣伝シートを
（ロ）自家用車保有の個人または商用車その他全ての自動車の壁面および屋根面に貼付けることにより、動く宣伝広告車として広告主と定めた契約期間に広告宣伝し、
（ハ）その対価として、広告主が提供する金額、商品などを得て経費の補助とするだけでなく、両者が新製品モニター、サービス販売、マーケット調査など双方向交流が図れる新しい複合多機能広告宣伝システム。
【請求項２】
定められた期間契約のため、広告シートが簡単に取り外し出来、また他車に貼り替える繰り返し張り替え使用が出来る樹脂フィルムシートとして、傷の付きにくいハードコートフィルムやペットフィルムシートその他の樹脂シートに生ゴムをベースにした接着剤ゲルを使用する請求項１の複合多機能広告宣伝システム。
【請求項３】
自家用車、商用車、その他の車を移動広告塔とした広告主との両者のマンツーマン広告であり、車移動による多数者向け広告宣伝と言う複合広告宣伝となる。それにより企業や機関の広告宣伝経費の削減と自家用車や商用車その他の車保有者が広告代金や商品などを得ると言う広告対価の消費者への直接支払いシステム。また、広告主による、新製品モニター調査、特別販売、マーケット調査などが行われる双方向広告システムも可能となる。その上、このシステムは、車保有者が広告主を選べるため新しい広告概念が生まれる請求項１の複合多機能広告宣伝システム。
【発明の詳細な説明】
【産業上の利用分野】
本発明は、ますます厳しい経済情勢と生活活動の中で、少しでも収入を得る手段とテレビやインターネットなどのマスメディアと異なる、より生活に密着し、しかもマンツーマン広告でありながら移動体である車が多くの移動先において宣伝をすると言う今まで見過ごされてきた複合広告宣伝方式であり、広告宣伝対価を消費者の直接受益となる厳しい時代に相応した全く新しい広告宣伝方式と言える。７，５００万台と言う日本国内市場、２億４千万台に及ぶ米国市場、７，８００万台と言われる中国市場など多くの世界の市場で消費者が直接広告宣伝を実施しその広告宣伝費を対価として消費者が直接受益出来ると言う新しい広告宣伝システムになる。
しかも、車所有者が好みの広告主を選ぶことが出来るため、広告主のモニター調査やマーケティング調査、特別販売、サンプルテストなど広告主と車所有者の双方向システムが成立すると言う新しい複合機能直接広告とも言える。
【背景技術】  宣伝広告は、マスメディアやインターネットやその他全ては一方的な広告が中心であり、広告主と広告される消費者などとの直接の交流などあり得ない。
従ってその有効性や効果影響度などはアンケートや直接ヒアリングなどの手段により調査把握する以外無い。また、長期間の広告は大きな費用がかかり広告コストの全てが商品に転嫁され必然的に商品価格が高くなる。従って、世界的に不景気な情勢では広告費の削減などによりマスメディアがその影響をもろに受けている現状である。その上非広告者である一般消費者には具体的な恩恵は全くないと言える。
【発明が解決しようとする課題】
マスメディアやインターネット、その他の広告手段の全ては不特定多数のターゲットに全く一方通行な広告であった。それ故効果を狙った広告は、出演料の高い有名タレントを採用し、撮影場所も海外で長期間の撮影期間でタレント広告料の高騰とその広告宣伝量がほとんど全て商品に転嫁され、消費者は実質商品と遥かにかけ離れた高価な商品を買わされるはめになり、厳しい生活現状にはそぐわないと言える。
この発明は、それらの現状の厳しい生活情勢に合わない、
１、現状のマスメディアやネットの高い広告料とそれが商品に転嫁される。
２、実と異なる高い商品にならないようにする。
３、広告料が、広告を受ける消費者による参画で消費者がその広告宣伝の対価となり生活の補助となる。
４、広告宣伝だけでなく、広告主の商品モニターや市場調査など幅広いマーケッティングが可能となる。
５、広告シートが簡単に取り外しと張り替えが出来るシート剤や接着剤が必要となる。
【課題を解決するための手段】
これらの課題の解決には、
１、個人の車保有者、商用車、その他の車に、広告主指定の広告宣伝シートを車の後面と天井部に貼ることにより複合的な広告宣伝を実施する。
２、広告シートは、広告仲介者か広告主が作製し、それを車に貼り広告する車所有者に広告料を金額または商品などで支払う。
これにより、多くの車保有者が生活経費の低減（例えば毎月のガソリン代など）が計れる。
３、車所有者は、自分が納得出来る広告主を選べ、規定に基づいて、新製品などの商品モニター、市場調査、商品企画その他広告主と双方向なタスク交流が有料で図れる。
４、最低１ヶ月間の期間設定など、広告料の大幅な削減と幅広い実質市場調査を行うことが出来る。
上記の現実的な実現には、広告仲介者は、広告主に対して新しい複合広告宣伝全体のシステムの実現への手段を全て整わなければならない。
例えば、広告シートのデザイン、張り替え可能なシート材（それには、傷のつかないハードコートフィルムシートや接着剤として繰り返し張り替えが出来る、カラヤゴムのような天然高分子の多糖類ガムや、ポリヒドロキシエチルメタクリレート等のヒドロゲルや、ポリウレタンゲル等が使用できる。これらの粘着ゲルの中でもポリウレタンゲルは無色透明で、人体に貼着したとき、かぶれ等をひきおこす恐れがなく、粘着力も良く、優れた特性を有する）など。
また、車所有者に対するこの複合広告宣伝システムの認知と募集には、インターネットやその他の周知手段だけでなく、車販売業者との提携、ガソリンスタンドなどへの紹介、コンビニエンスストア、新聞配達業者その他多くの媒体との提携など手段はいくらでも考えられる。
【発明の作用】
本発明の実施は、基本的には（イ）〜（ハ）の手段から成っている。
（イ）車所有者に広告主の宣伝シートを車の後面、天面に貼り
（ロ）必要に応じて車使用者は広告主の商品のモニターなどのマーケッティングを行い、
（ハ）それらの対価を広告主から金額、商品などで支払いを受け、
（ニ）広告主の広告経費の削減と車所有者の生活助成とする。
本発明に於いて大きなポイントは、
１、車所有者への直接宣伝と車移動による間接宣伝と車所有者と広告主間のマーケッティングなど多機能複合宣伝システムであり、
２、広告主の広告コストの低減による商品価格の低減と車所有者に支払われる広告料などによる生活の補助システムの実現と言える。
【図１】
2014063112.tif 000003
【手続補正書】
【提出日】平成25年1月29日(2013.1.29)
【手続補正１】
【補正対象書類名】明細書
【補正対象項目名】全文
【補正方法】変更
【補正の内容】
【発明の詳細な説明】
【産業上の利用分野】
【０００１】  本発明は、ますます厳しい経済情勢と生活活動の中で、少しでも収入を得る手段とテレビやインターネットなどのマスメディアと異なる、より生活に密着し、しかもマンツーマン広告でありながら移動体である車が多くの移動先において宣伝をすると言う今まで見過ごされてきた複合広告宣伝方式であり、広告宣伝対価を消費者の直接受益となる厳しい時代に相応した全く新しい広告宣伝方式と言える。７，５００万台と言う日本国内市場、２億４千万台に及ぶ米国市場、７，８００万台と言われる中国市場など多くの世界の市場で消費者が直接広告宣伝を実施しその広告宣伝費を対価として消費者が直接受益出来ると言う新しい広告宣伝システムになる。
しかも、車所有者が好みの広告主を選ぶことが出来るため、広告主のモニター調査やマーケティング調査、特別販売、サンプルテストなど広告主と車所有者の双方向システムが成立すると言う新しい複合機能直接広告とも言える。
【背景技術】
【０００２】  宣伝広告は、マスメディアやインターネットやその他全ては一方的な広告が中心であり、広告主と広告される消費者などとの直接の交流などあり得ない。従ってその有効性や効果影響度などはアンケートや直接ヒアリングなどの手段により調査把握する以外無い。また、長期間の広告は大きな費用がかかり広告コストの全てが商品に転嫁され必然的に商品価格が高くなる。従って、世界的に不景気な情勢では広告費の削減などによりマスメディアがその影響をもろに受けている現状である。その上非広告者である一般消費者には具体的な恩恵は全くないと言える。
【発明が解決しようとする課題】
【０００３】マスメディアやインターネット、その他の広告手段の全ては不特定多数のターゲットに全く一方通行な広告であった。それ故効果を狙った広告は、出演料の高い有名タレントを採用し、撮影場所も海外で長期間の撮影期間でタレント広告料の高騰とその広告宣伝量がほとんど全て商品に転嫁され、消費者は実質商品と遥かにかけ離れた高価な商品を買わされるはめになり、厳しい生活現状にはそぐわないと言える。
この発明は、それらの現状の厳しい生活情勢に合わない、
１、現状のマスメディアやネットの高い広告料とそれが商品に転嫁される。
２、実と異なる高い商品にならないようにする。
３、広告料が、広告を受ける消費者による参画で消費者がその広告宣伝の対価となり生活の補助となる。
４、広告宣伝だけでなく、広告主の商品モニターや市場調査など幅広いマーケッティングが可能となる。
５、広告シートが簡単に取り外しと張り替えが出来るシート剤や接着剤が必要となる。
【課題を解決するための手段】
【０００４】  これらの課題の解決には、
１、個人の車保有者、商用車、その他の車に、広告主指定の広告宣伝シートを車の後面と天井部に貼ることにより複合的な広告宣伝を実施する。
２、広告シートは、広告仲介者か広告主が作製し、それを車に貼り広告する車所有者に広告料を金額または商品などで支払う。
これにより、多くの車保有者が生活経費の低減（例えば毎月のガソリン代など）が計れる。
３、車所有者は、自分が納得出来る広告主を選べ、規定に基づいて、新製品などの商品モニター、市場調査、商品企画その他広告主と双方向なタスク交流が有料で図れる。
４、最低１ヶ月間の期間設定など、広告料の大幅な削減と幅広い実質市場調査を行うことが出来る。
上記の現実的な実現には、広告仲介者は、広告主に対して新しい複合広告宣伝全体のシステムの実現への手段を全て整わなければならない。
例えば、広告シートのデザイン、張り替え可能なシート材（それには、傷のつかないハードコートフィルムシートや接着剤として繰り返し張り替えが出来る、カラヤゴムのような天然高分子の多糖類ガムや、ポリヒドロキシエチルメタクリレート等のヒドロゲルや、ポリウレタンゲル等が使用できる。これらの粘着ゲルの中でもポリウレタンゲルは無色透明で、人体に貼着したとき、かぶれ等をひきおこす恐れがなく、粘着力も良く、優れた特性を有する）など。
また、車所有者に対するこの複合広告宣伝システムの認知と募集には、インターネットやその他の周知手段だけでなく、車販売業者との提携、ガソリンスタンドなどへの紹介、コンビニエンスストア、新聞配達業者その他多くの媒体との提携など手段はいくらでも考えられる。
【発明の作用】
【０００５】本発明の実施は、基本的には（イ）〜（ハ）の手段から成っている。
（イ）車所有者に広告主の宣伝シートを車の後面、天面に貼り
（ロ）必要に応じて車使用者は広告主の商品のモニターなどのマーケッティングを行い、
（ハ）それらの対価を広告主から金額、商品などで支払いを受け、
（ニ）広告主の広告経費の削減と車所有者の生活助成とする。
本発明に於いて大きなポイントは、
１、車所有者への直接宣伝と車移動による間接宣伝と車所有者と広告主間のマーケッティングなど多機能複合宣伝システムであり、
２、広告主の広告コストの低減による商品価格の低減と車所有者に支払われる広告料などによる生活の補助システムの実現と言える。
【図面の簡単な説明】
【０００６】図１は、広告の流れを示すものである。広告主から矢印に従い広告を依頼する。
【符号の説明】
【０００７】広告主は、広告代理店を通じ、車保有者に広告看板の設置を依頼する。
車保有者は車を屋外で運転することで、一般消費者に広告看板を用い広告主の広告を行う。